(57)【要約】【課題】システムの制御に影響を与えることなく通信量を削減し、システム規模の規制を緩和し、規模を拡大することができる。【解決手段】遠隔監視装置1からの入出力負荷情報要求に応答する場合、対象となるデータの変化度合が前回のデータ送信時から一定の範囲内であれば入出力状態を返さず、要求を受理したことを通知するだけの短いデータを返信する。従って、状態変化の少ない負荷情報に関しては、要求時の返信データ量が削減され、システムの制御に影響を与えることなくネットワーク２上の通信量が削減されることで、システム規模の制約を緩和し、規模を拡大することができる。【選択図】図１
2006235797.tif 000002
【特許請求の範囲】
【請求項１】
ネットワークへのデータの送受信を行う通信手段と、制御計測装置の入出力負荷状態を検出する状態検出手段と、前記状態検出手段にて検出された入出力負荷状態の変化度合を判定する状態変化判定手段と、前記ネットワーク上の遠隔監視装置からの入出力負荷状態送信要求に応じて返信するデータの種別を選択すると共に、対象となるデータが前記状態変化判定手段において変化度合が一定の範囲を超えたと判断されれば要求されたデータを返信し、一定の範囲内であれば要求を受理したことを通知するだけの短いデータを返信する通信情報判定手段をもつことを特徴とする制御計測装置。
【請求項２】
遠隔監視装置からの要求に応え、入出力負荷状態を送信するときに、状態データを送信するか、受理応答のみを送信するかを判断するための入出力状態変化度合を任意に設定できる変化レベル設定手段を備えたことを特徴とする、請求項１に記載の制御計測装置。
【請求項３】
遠隔監視装置からの要求に応え、入出力負荷状態を送信するときに、状態データを送信するか、受理応答のみを送信するかを判断するための入出力状態変化度合監視対象データ種別を任意に設定できるデータ種別設定手段を備えたことを特徴とする、請求項１に記載の制御計測装置。
【請求項４】
遠隔監視装置からの要求に応え、入出力負荷状態を送信するときに、状態データを送信するか、受理応答のみを送信するかを判断するための入出力状態変化度合をネットワークを介して任意に設定できる変化レベル設定解析手段を備えたことを特徴とする、請求項１に記載の制御計測装置。
【請求項５】
遠隔監視装置からの要求に応え、入出力負荷状態を送信するときに、状態データを送信するか、受理応答のみを送信するかを判断するための入出力状態変化度合監視対象データ種別をネットワークを介して任意に設定できるデータ種別設定解析手段を備えたことを特徴とする、請求項１に記載の制御計測装置。
【発明の詳細な説明】
【技術分野】
【０００１】
本発明は、ネットワーク接続される制御計測装置に関するものである。
【背景技術】
【０００２】
従来、この種の制御計測装置では、例えば図６に記載された制御計測装置があった。
【０００３】
図６において、遠隔監視装置１０1は、空気調和機１０３の入出力負荷状態を取得するため、定期的に入出力負荷状態を要求するデータの送信を行い、空気調和機１０３はこの遠隔監視装置１０１からの要求を通信手段１０４を介して受け、状態検出手段１０５によって検出した入出力負荷状態のデータから要求に応じたデータを通信情報判定手段１０６にて選択し、通信手段１０４を介してデータを返信している（例えば、特許文献１参照）。
【特許文献１】特開２００２−１０５３２号公報
【発明の開示】
【発明が解決しようとする課題】
【０００４】
しかしながら、前記従来の構成では、空気調和機１０３は遠隔監視装置１０１からの要求に無条件に応じており、ネットワーク１０２上の通信量は、遠隔監視装置１０１が空気調和機１０３に要求するデータの種類と要求の頻度に大きく支配され、これがシステム規模の大きな制約となる課題を有していた。
【０００５】
本発明は、前記従来の課題を解決するもので、遠隔監視装置のデータ要求に応じて返信するときの返信データ量を削減し、システムの制御に影響を与えることなくシステム全体の通信量を低減することでシステム規模の制約を緩和し、規模を拡大することのできる制御計測装置を提供することを目的とする。
【課題を解決するための手段】
【０００６】
前記従来の課題を解決するために、本発明の制御計測装置は、遠隔監視装置から入出力負荷データの送信要求を受けて応答する場合、応答対象となる入出力負荷状態データの変化度合が一定の範囲内であれば入出力負荷状態のデータではなく、要求を受理したことを通知するだけの短いデータを送信するものである。
【０００７】
これによって、システムの制御に影響を与えることなく通信量を削減し、システム規模の規制を緩和することができる。
【発明の効果】
【０００８】
本発明の制御計測装置は、システム制御に不要なデータの通信を低減することでシステムに影響を与えることなく通信量を削減し、システム全体の通信負荷を抑え、システムの拡大を図ることができる。
【発明を実施するための最良の形態】
【０００９】
第１の発明は、ネットワークへのデータの送受信を行う通信手段と、制御計測装置の入出力負荷状態を検出する状態検出手段と、状態検出手段にて検出された入出力負荷状態の変化度合を判定する状態変化判定手段と、ネットワーク上の遠隔監視装置からの入出力負荷状態送信要求に応じて返信するデータの種別を選択すると共に、対象となるデータが状態変化判定手段において変化度合が一定の範囲を超えていると判断されれば要求されたデータを返信し、一定の範囲内であれば要求を受理したことを通知するだけの短いデータを
返信する通信情報判定手段をもつもので、この構成をなすことにより、遠隔監視装置のデータ要求に応じて返信するときの返信データ量を削減し、システムの制御に影響を与えることなくシステム全体の通信量を低減することでシステム規模の制約を緩和し、規模を拡大することができる。
【００１０】
第２の発明は、特に、第１の発明の状態変化判定手段において判断される入出力状態変化度合を任意に設定できる変化レベル設定手段を設けることにより、制御計測装置及びネットワーク状態に適した通信を確保しながらシステム全体の通信量を低減することでシステム規模の制約を緩和し、規模を拡大することができる。
【００１１】
第３の発明は、特に、第１〜２の発明の入出力状態変化度合監視対象データ種別を任意に設定できるデータ種別設定手段を設けることにより、制御計測装置及びネットワーク状態に適した通信を確保しながらシステム全体の通信量を低減することでシステム規模の制約を緩和し、規模を拡大することができる。
【００１２】
第４の発明は、特に第１の発明の状態変化判定手段において判断される入出力状態変化度合をネットワークを介して任意に設定できる変化レベル設定解析手段を設けることにより、容易な設定で制御計測装置及びネットワーク状態に適した通信を確保しながらシステム全体の通信量を低減することでシステム規模の制約を緩和し、規模を拡大することができる。
【００１３】
第５の発明は、特に、第１、及び第３の発明の入出力状態変化度合監視対象データ種別をネットワークを介して任意に設定できるデータ種別設定解析手段を設けることにより、容易な設定で制御計測装置及びネットワーク状態に適した通信を確保しながらシステム全体の通信量を低減することでシステム規模の制約を緩和し、規模を拡大することができる。
【００１４】
以下、本発明の実施の形態について、図面を参照しながら説明する。なお、この実施の形態によって本発明が限定されるものではない。
【００１５】
（実施の形態１）
図１は、本発明の第１の実施の形態における制御計測装置１のブロック図を示すものである。
【００１６】
図１において、制御計測装置３は、通信手段４、通信情報判定手段５、状態変化判定手段６、状態検出手段７から構成されている。
【００１７】
通信手段４は、ネットワークへのデータの送受信を行う。
【００１８】
状態検出手段７は、制御計測装置３の入出力負荷状態を検出する。
【００１９】
状態変化判定手段６は、状態検出手段７にて検出された入出力負荷状態の変化度合を判定する。
【００２０】
通信情報判定手段5は、通信手段４を介して受信した遠隔監視装置1からの入出力負荷状態送信要求に応じて返信するデータの種別を選択すると共に、状態変化判定手段６において判断される対象データの変化度合が一定の範囲を超えていれば要求されたデータを返信し、一定の範囲内であれば要求を受理したことを通知するだけの短いデータを返信する。
【００２１】
以上のように構成された制御計測装置３は、遠隔監視装置1からの入出力負荷情報要求
に応答する場合、対象となるデータの変化度合が前回のデータ送信時から一定の範囲内であれば入出力状態を返さず、要求を受理したことを通知するだけの短いデータを返信する。従って、状態変化の少ない負荷情報に関しては、要求時の返信データ量が削減され、システムの制御に影響を与えることなくネットワーク２上の通信量が削減されることで、システム規模の制約を緩和し、規模を拡大することができる。
【００２２】
（実施の形態２）
図２は、本発明の第２の実施の形態における制御計測装置３のブロック図を示すものである。
【００２３】
図２において、実施の形態１で説明した部分については同じ符号を用い説明を省略する。
変化レベル設定手段８は、状態変化判定手段６において判断される入出力状態変化度合を任意に設定できる。
【００２４】
以上のように構成された制御装置３は、通信情報判定手段７において返信データ内容決定判断に使われる負荷状態の変化度合を任意に設定できることにより、制御計測装置３及びネットワーク２の状態に適した通信を確保しながらシステム全体の通信量を低減することでシステム規模の制約を緩和し、規模を拡大することができる。
【００２５】
（実施の形態３）
図３は、本発明の第３の実施の形態における制御計測装置３のブロック図を示すものである。
【００２６】
図３において、実施の形態１、２で説明した部分については同じ符号を用い説明を省略する。
【００２７】
データ種別設定手段９は、入出力状態変化度合監視対象データ種別を任意に設定できる。
【００２８】
以上のように構成された制御計測装置３は、通信情報判定手段７における負荷状態の変化度合による返信データ量削減処理の有無を、各負荷の重要性に応じて設定できることにより、制御計測装置３及びネットワーク２の状態に適した通信を確保しながらシステム全体の通信量を低減することでシステム規模の制約を緩和し、規模を拡大することができる。
【００２９】
（実施の形態４）
図４は、本発明の第４の実施の形態における制御計測装置３のブロック図を示すものである。
【００３０】
図４において、実施の形態１〜３で説明した部分については同じ符号を用い説明を省略する。
【００３１】
変化レベル設定解析手段１０は、状態変化判定手段６において判断される入出力状態変化度合をネットワークを介して任意に設定できる。
【００３２】
以上のように構成された制御計測装置３は、通信情報判定手段７において返信データ内容決定判断に使われる負荷状態の変化度合をネットワークを介して任意に設定できることにより、容易な設定で制御計測装置３及びネットワーク２の状態に適した通信を確保しながらシステム全体の通信量を低減することでシステム規模の制約を緩和し、規模を拡大す
ることができる。
【００３３】
（実施の形態５）
図５は、本発明の第５の実施の形態における制御計測装置３のブロック図を示すものである。
【００３４】
図５において、実施の形態１〜４で説明した部分については同じ符号を用い説明を省略する。
【００３５】
データ種別設定解析手段１１は、入出力状態変化度合監視対象データ種別をネットワークを介して任意に設定できる。
【００３６】
以上のように構成された制御計測装置３は、通信情報判定手段７における負荷状態の変化度合による返信データ量削減処理の有無を、各負荷の重要性に応じてネットワークを介して設定できることにより、容易な設定で制御計測装置３及びネットワーク２の状態に適した通信を確保しながらシステム全体の通信量を低減することでシステム規模の制約を緩和し、規模を拡大することができる。
【産業上の利用可能性】
【００３７】
以上のように、本発明にかかる制御計測装置は、遠隔監視装置から要求を受けて入出力負荷状態の変化が少ないデータを送信する場合は、データ量を削減し、システム全体の通信負荷を抑え、システムの拡大を図ることができるので、空気調和機や電力監視装置といった制御計測端末等とこれらを監視制御する遠隔監視装置間のデータ送受信にも適応できる。
【図面の簡単な説明】
【００３８】
【図１】本発明の実施の形態１における制御計測装置のブロック図
【図２】本発明の実施の形態２における制御計測装置のブロック図
【図３】本発明の実施の形態３における制御計測装置のブロック図
【図４】本発明の実施の形態４における制御計測装置のブロック図
【図５】本発明の実施の形態５における制御計測装置のブロック図
【図６】従来の制御計測装置のブロック図
【符号の説明】
【００３９】
１  遠隔監視装置
２  ネットワーク
３  制御計測装置
４Ａ、４ｎ  通信手段
５Ａ、５ｎ  通信情報判定手段
６Ａ、６ｎ  状態変化判定手段
７Ａ、７ｎ  状態検出手段
８Ａ、８ｎ  変化レベル設定手段
９Ａ、９ｎ  データ種別設定手段
１０Ａ、１０ｎ  変化レベル設定解析手段
１１Ａ、１１ｎ  データ種別設定解析手段
【図１】
2006235797.tif 000003
【図２】
2006235797.tif 000004
【図３】
2006235797.tif 000005
【図４】
2006235797.tif 000006
【図５】
2006235797.tif 000007
【図６】
2006235797.tif 000008